(57)【特許請求の範囲】
【請求項１】
赤外線通信機能によりリモコンと赤外線通信を行う光ディスク記録装置を用いて光ディスクのディスク名や録画した番組のタイトル情報等の付加情報を光ディスクに記録する光ディスクの付加情報記録方法であって、
前記リモコンは、前記赤外線通信を利用して光ディスク再生を含む所定の動作を制御するためのデータを前記光ディスク記録装置に送信し、
前記赤外線通信機能により前記光ディスク記録装置と赤外線通信が可能な携帯型電子機器で入力された編集データを含む通信データを、前記赤外線通信を利用して前記携帯型電子機器が前記光ディスク記録装置へ送信し、
前記赤外線通信に利用されるデータは、当該データが発信された外部装置を特定するための識別情報を含み、
前記光ディスク記録装置は、前記識別情報に基づいて、前記リモコンから送信されたデータか前記携帯型電子機器から送信されたデータかを判別し、前記携帯型電子機器から送信されたデータであると判別した場合、受信した通信データに含まれる前記編集データを付加情報として前記光ディスクに記録する編集処理を行うことを特徴とする光ディスクの付加情報記録方法。
【請求項２】
前記通信データはタイトルごとの録画時間情報を含み、前記光ディスク記録装置は、該録画時間情報と光ディスクに記録されているタイトルごとの録画時間情報とを比較し、この比較結果をもとに編集処理の可否を判定することを特徴とする請求項１に記載の光ディスクの付加情報記録方法。
【請求項３】
前記通信データは、前記携帯型電子機器に一時的に記憶されることを特徴とする請求項１又は２に記載の光ディスクの付加情報記録方法。
【請求項４】
赤外線通信機能によりリモコンと赤外線通信を行うとともに、光ディスクに種々の情報を記録可能な光ディスク記録装置において、
前記赤外線通信機能を用いて、光ディスクのディスク名や録画した番組のタイトル情報等の付加情報を編集可能な携帯型電子機器及び光ディスク再生を含む前記光ディスク記録装置の所定の動作を制御するための指示を行う前記リモコンと赤外線通信して、発信された外部装置を特定するための識別情報を含むデータを受信可能な赤外線通信手段と、
前記赤外線通信手段により、データを受信した場合、前記識別情報に基づいて、前記リモコンから送信されたデータか前記携帯型電子機器から送信されたデータかを判別し、前記携帯型電子機器から送信されたデータであると判別した場合、前記携帯型電子機器から送信された通信データに含まれる編集データをもとに光ディスクの付加情報を光ディスクに記録する付加情報記録手段と、を少なくとも備えることを特徴とする光ディスク記録装置。
【請求項５】
前記通信データはタイトルごとの録画時間情報を含み、前記光ディスク記録装置は、該録画時間情報と光ディスクに記録されているタイトルごとの録画時間情報とを比較する録画時間情報比較手段と、前記録画時間情報比較手段による比較結果をもとに編集処理の可否を判定する編集許可手段と、を備えることを特徴とする請求項４に記載の光ディスク記録装置。
【発明の詳細な説明】
【０００１】
【発明の属する技術分野】
本発明は、ディスク型記録媒体へのデータの記録方法に関し、特に光ディスクにディスク名や録画された番組のタイトル名等の付加情報を記録する技術に関する。
【０００２】
【従来の技術】
従来、ビデオデータやオーディオデータ、またはコンピュータ用データを記憶するメディアとしてＣＤ（Compact Disk）やＬＤ（Laser Disk）等が広く使用されていたが、最近ではこれらに比べてはるかに多くの記憶容量を有するＤＶＤ（Digital Versatile Disk）が次世代の記録メディアとして期待され、徐々に普及してきている。
【０００３】
ＤＶＤは、ＣＤと同じサイズでありながら高画質の映像データ、高音質で多種の音声データ、および字幕データ等の大量のデータを記録することができ、普通のＣＤの数倍のデータを記憶可能となっている。
【０００４】
このＤＶＤには、ＤＶＤ−ＲＯＭ、ＤＶＤビデオ、ＤＶＤオーディオ等の再生専用ディスクと、ＤＶＤ−ＲＡＭ、ＤＶＤ−Ｒ、ＤＶＤ−ＲＷ等の記録再生ディスクがあり、それぞれのフォーマットが関連性をもって規格に定められている。最近では、記録再生可能なＤＶＤ記録装置の開発がさかんに行われ、それぞれの規格に準じて所望のデータをＤＶＤに記録することができるようになってきた。このＤＶＤ記録装置によって記録されたＤＶＤは、その記録フォーマットに対応したＤＶＤ再生装置によって再生することができる。
【０００５】
また、ＤＶＤ記録装置では、ＤＶＤのディスク名やＤＶＤに録画した番組のタイトル名等をユーザが編集することも可能である。そして、ユーザによって編集されたディスク名やタイトル名は、ＤＶＤ再生装置にＤＶＤを挿入したときに表示画面上に表示させることができるので、ディスクを区別したり、ＤＶＤに記録されている内容（番組）を把握するのに便利である。
【０００６】
【発明が解決しようとする課題】
しかしながら、従来のＤＶＤ記録装置でディスク名やタイトル名等のディスク情報の編集を行う場合、編集モードと称されるディスク情報を編集可能なモードを選択して編集を行う必要があった。
【０００７】
図８は一般的な編集モード画面の表示例であり、ＤＶＤ記録装置に挿入されているディスクに記録されているディスク情報に従ってディスク名やタイトル名等の情報が表示されている。一般に、番組を録画する際には番組情報として録画日時と録画時間が自動的にディスクに記録されるので、ユーザによってディスク情報が編集されていない場合は図８のように録画番組に対応する録画時間のみが表示される。
【０００８】
ユーザがディスク情報を編集する場合は、図８に示す編集モードの画面を表示させて、付属のリモコン等の入力装置を利用して編集可能欄（図８における“＊”で表示）を選択し、所望の文字列を入力することにより編集する。このため、従来のＤＶＤ記録装置においては録画をしている間には、ディスク情報の編集作業を行うことはできなかった。
【０００９】
また、ディスク情報の入力は表示画面上に表示された文字列テーブルの中から所望の文字を選択・決定して行われるのが一般的であるが、この場合、付属のリモコン装置を用いて文字列テーブル上でカーソルを移動して文字を決定しなければいけないので編集作業が非常に煩雑であった。
【００１０】
ところで、近年では赤外線通信を初めとする無線通信技術が注目されており、無線通信機能を搭載した種々の装置が提供されている。
例えば、特開平８−１９０６３号公報には、赤外線通信が可能な通信端末を用いて通信局が配信する番組情報をネットワーク経由で入手し、この通信端末から番組録画予約データをビデオ等に赤外線通信を利用して送信する技術が開示されている。また、特開平９−２２４０８１号公報には、同時に複数のマルチメディア通信を並行して行うことができる家庭用情報通信装置に関する技術が開示されており、このマルチメディア通信の一つとしてＰＤＡ（Personal Digital Assistant）と呼ばれる携帯型情報端末を利用した赤外線通信が例示されている。また、特開２０００−３６９８４号公報には、赤外線通信機能を搭載した携帯端末（携帯電話）に関する技術が開示されている。
【００１１】
このように、ＰＤＡや携帯電話機等の携帯型電子機器は、機器間でのデータの送受信をケーブルレスで可能にする無線通信機能が搭載される傾向にある。また、携帯型情報端末に限らず一般の家電製品についても無線通信機能を搭載する機器は今後増加すると考えられる。
【００１２】
本発明は、光ディスク記録装置と携帯型電子機器との無線通信を利用することにより、光ディスクのディスク情報（付加情報）を容易に編集できる技術を提供することを目的とする。
【００１３】
【課題を解決するための手段】
本発明は、上記課題を解決するためになされたもので、赤外線通信機能によりリモコンと赤外線通信を行う光ディスク記録装置を用いて光ディスクのディスク名や録画した番組のタイトル情報等の付加情報を光ディスクに記録する光ディスクの付加情報記録方法であって、前記リモコンは、前記赤外線通信を利用して光ディスク再生を含む所定の動作を制御するためのデータを前記光ディスク記録装置に送信し、前記赤外線通信機能により前記光ディスク記録装置と赤外線通信が可能な携帯型電子機器で入力された編集データを含む通信データを、前記赤外線通信を利用して前記携帯型電子機器が前記光ディスク記録装置へ送信し、前記赤外線通信に利用されるデータは、当該データが発信された外部装置を特定するための識別情報を含み、前記光ディスク記録装置は、前記識別情報に基づいて、前記リモコンから送信されたデータか前記携帯型電子機器から送信されたデータかを判別し、前記携帯型電子機器から送信されたデータであると判別した場合、受信した通信データに含まれる前記編集データを付加情報として前記光ディスクに記録する編集処理を行うようにしたものである。
【００１４】
これにより、光ディスク記録装置が作動しているときでも携帯型電子機器でディスク情報の編集を行うことができるので、編集作業の自由度が広がる。
【００１５】
特に、赤外線通信を利用して携帯型電子機器と通信データを送受信するので、一般の光ディスク記録装置がリモコン信号を受信するために備えている赤外線通信機能を利用することができる。
【００１６】
また、前記通信データは、当該通信データを発信し機器を特定するための識別情報を含み、前記光ディスク記録装置は前記識別情報に基づいて受信した通信データを処理するようにする。つまり、赤外線通信を利用する場合、赤外線ポートではリモコンからの信号と携帯型電子機器からの信号の両方が受信されるので、通信データに識別情報を付加して信号を区別できるようにする。
【００１７】
また、前記通信データはタイトルごとの録画時間情報を含み、前記光ディスク記録装置は、該録画時間情報と光ディスクに記録されているタイトルごとの録画時間情報とを比較し、この比較結果をもとに編集処理の可否を判定するようにする。
【００１８】
これにより、誤って光ディスクのディスク情報を編集してしまうのを防止することができる。タイトルの録画時間情報は、光ディスクに番組を録画する際に必ず記録されるのでこれを有効に利用できる。
【００１９】
また、前記通信データを前記携帯型電子機器に一時的に記憶できるようにすれば、ユーザはどこでも編集作業を行うことができる。例えば、外出先でディスク情報を編集した場合には、携帯型電子機器に編集データを一時的に記憶しておいて帰宅してから光ディスク記録装置に編集データを送信すればよい。これにより、ユーザはディスク情報の編集を効率よく行うことができる。
【００２０】
【発明の実施の形態】
以下、本発明の好適な実施例を図面に基づいて説明する。
図１は、本実施形態に係る光ディスク記録再生装置（ＤＶＤビデオレコーダ）の概略構成図である。
【００２１】
図１に示す光ディスク記録再生装置は、基台（図示しない）にセットされた光ディスク１００を回転駆動するモータ１１０と、光ディスク１００に記録されたデータの読み出しまたは光ディスク１００への書き込みを行うピックアップ１２０と、モータ１１０とピックアップ１２０とを含む機構系を制御する機構制御部１３０と、光ディスク１００への記録再生処理を含む装置全体の制御を行うシステムインタフェース制御部１４０と、光ディスクを記録再生する際にデータに所定の処理を施すデータ処理部１５０と、外部からの信号を入力するＡＶ信号入力部１７０と、入力されたＡＶ信号をデジタル信号に変換するＡ／Ｄ変換器２６０と、Ａ／Ｄ変換された信号をエンコードするエンコード部１６０と、データ処理部１５０から転送された再生データをデコードするデコード部１８０と、デコード部１８０でデコードされたビデオデータ（Ｖデータ）及び副映像データ（ＳＰデータ）を合成するビデオ処理部１９０と、色差信号をＮＴＳＣ方式（またはＰＡＬ方式）にエンコードするビデオエンコーダ２００と、デジタル信号をアナログ信号に変換するＤ／Ａ変換器２１０、２２０と、光ディスクのディスク情報等を表示する表示部２３０と、リモコンや携帯電話機等の外部装置からの赤外線信号を受信可能な赤外線受光部２４０と、で構成される。
【００２２】
機構制御部１３０は、モータ１１０の回転速度を一定にするサーボ制御をしたり、システムインタフェース制御部１４０から指示されたトラック位置に応じてピックアップのアクチュエータを制御することによりピックアップ１２０の位置決め制御をしたりする。
【００２３】
システムインタフェース制御部１４０は、ＣＰＵ１４１とメモリ１４２を含んでいる。メモリ１４２には、光ディスクの記録再生処理を実現するためのプログラム等が格納され、ＣＰＵ１４１がこのプログラムを実行することにより記録再生処理等の制御処理が行われる。
【００２４】
データ処理部１５０は、再生動作時には、再生信号をディスクドライブ部から受け取り、復調および誤り訂正処理を行い、復調信号をデコード部１８０に転送する。また、記録動作時には、エンコード部１６０からの記録信号を光ディスク１００に記録するために記録信号に誤り訂正コードを付加したうえで変調を行い、変調信号をピックアップ１２０に転送する。ここで、データ処理部１５０で処理されるデータには、ビデオデータ（Ｖデータ）、字幕などの副映像データ（ＳＰデータ）、オーディオデータ（Ａデータ）がある。
【００２５】
デコード部１８０は、デマルチプレクサ１８１と、ビデオデータデコード部１８２と、副映像データデコード部１８３と、オーディオデータデコード部１８４とで構成される。
【００２６】
デマルチプレクサ１８１は、ビデオデータやオーディオデータ等がプログラムストリームの仕様に沿って時分割多重化されているのを、それぞれの識別情報に従って分離する。
【００２７】
デマルチプレクサ１８１で分離されたデータは、それぞれビデオデータデコード部１８２、副映像データデコード部１８３、オーディオデータデコード部に転送され、各々デコードされる。そして、デコードされたビデオデータおよび副映像データはビデオ処理部１９０で合成され、ビデオエンコーダ２００，Ｄ／Ａ変換器２１０を介してビデオ出力される。一方、デコードされたオーディオデータはＤ／Ａ変換器２２０を介してオーディオ出力される。
【００２８】
ＡＶ入力部１７０は、外部装置からのビデオ信号およびオーディオ信号、またはチューナで受信した放送信号を入力される。入力されたアナログ信号はＡ／Ｄ変換器２６０でデジタル化され、エンコード部１６０に転送される。
【００２９】
エンコード部１６０は、フォーマッタ部１６１と、ビデオデータエンコード部１６２と、オーディオデータエンコード部１６３と、副映像データエンコード部１６４とで構成される。
【００３０】
Ａ／Ｄ変換部２６０でデジタル化された各データは、それぞれビデオデータエンコード部１６２、副映像データエンコード部１６３、オーディオデータエンコード部１６４に転送され、各々エンコードされる。そして、エンコードされたそれぞれのデータはフォーマッタ部１６１でパケット化およびパック化され、データ処理部へ転送される。
【００３１】
赤外線受光部２４０は、ＩｒＤＡ（Infrared Data Association）規格に従った赤外線ポートであり、リモコン装置からの赤外線信号の受信だけでなく、この規格に従った赤外線ポートを有する機器２５０（例えば、携帯電話機）との赤外線通信を可能にする。
【００３２】
このように、本実施形態の光ディスク記録再生装置は、赤外線受光部２４０で、携帯電話機２５０等から送信されるデータも受信可能に構成されており、携帯電話機２５０から送信されたデータに基づいて光ディスクへの書き込み処理を行うことができる。
【００３３】
図２は、本発明を適用した携帯電話機２５０の概略構成を示すブロック図である。本実施例の携帯電話機２５０は、電話番号を入力したりするテン・キーと種々のメニューを表示させたりする特別キーとからなるキー入力部３００と、液晶パネルで構成され電話番号や所望の情報を表示可能な表示部３１０と、携帯電話機２５０の全体の制御を行うＣＰＵ３２０と、電話番号情報や赤外線通信する際に使用される所定のフォーマット等を記憶しておくメモリ３３０と、特に赤外線通信に関する制御を司るＩＲ発光制御部３４０と、赤外線を発光する発光ダイオード等の赤外線発光部３５０と、を有する。
【００３４】
図３は、ディスク情報を編集する際に実施例の携帯電話機２５０の表示部３１０に表示される表示画面の一例であり、図２の携帯電話機２５０を用いて一枚の光ディスクのディスク情報を編集することができる。なお、図３の表示フォーマットデータはメモリ３３０に予め格納されている。
【００３５】
例えば、ディスク情報を編集するに際して、ユーザはキー入力部３００を操作してディスク情報を編集可能なモードを選択して図３に示す表示画面を表示部３１０に表示させる。そして、この画面上でディスク名の表示される欄３１１やタイトル名の表示される欄３１２を選択し、その欄に所望の文字列を入力して情報を編集する。そして、編集したディスク情報をキー入力部３００を操作して携帯電話機２５０から光ディスク記録装置に送信してディスク情報を更新させる。なお、編集データを一時的にメモリ３３０に記憶しておいて、後で光ディスク記録再生装置に送信することもできる。このように携帯電話機２５０に一時的に記録しておくことができるので、光ディスク記録再生装置が動作中でもディスク情報の編集作業を行うことが可能である。
【００３６】
なお、文字列の入力は既存の携帯電話機２５０において実用化されている文字列の入力方法を利用することができる。また、携帯電話機２５０の表示部３１０には、画面を縦または横にスクロールすることにより大量の情報を表示させることができる。例えば、図３には表示部３１０の下部に△印のマーカ３１３が表示されており、表示部３１０に表示可能な情報が下方に続いていることを示している。
【００３７】
図４は、赤外線通信に利用されるデータ構造の一例である。図４に示すように、本実施形態で用いられる通信データは、赤外線通信用のデータであることを示すＩＲヘッダ部４１０と、送信先の機器（光ディスク記録再生装置）の固有情報を含むカスタムコード部４２０と、データの種別を格納した識別コード部４３０と、ディスク情報を含むデータ部４４０と、データ転送の誤り検出に用いられるパリティ部４５０と、データの終わりであることを示すＥＮＤコード部４６０とで構成される。
【００３８】
カスタムコード部４２０には、送信する相手装置のメーカコードや機器コード等が含まれており、通信相手を特定するのに利用される。
【００３９】
識別コード部４３０は、通信データがリモコンから送信されたデータであるか携帯電話機から送信されたデータであるか判別するのに利用される。例えば、識別コードが“０”の場合はリモコンから送信されたデータであることを示し、識別コードが“１”の場合は携帯電話機から送信されたデータであることを示すようにする。
【００４０】
また、データ４４０には、記録される編集データがディスク名のデータであるかタイトル名のデータであるかを判別するためのタイプコード４４１と、アスキーコード化された本来の編集データ４４２とが含まれる。例えば、タイプコード４４１が“０”であれば編集データ４４２はディスク名のデータであり、タイプコード４４２が“０”以外で“１”，“２”，・・・の場合は編集データ４４２はタイトル名のデータであるようにすればよい。
【００４１】
図５は、光ディスク記録再生装置における赤外線通信の処理手順を示したフローチャートである。
光ディスク記録再生装置は常に受信可能な状態にあり、外部装置から赤外線データが送信されてくると、赤外線受光部２４０で赤外線データを受信する（ステップ１００）。次に、受信したデータのカスタムコード部４２０に格納されているメーカコード、機器コードをもとに自装置宛のデータであるか判別する（ステップＳ２００）。そして、自装置宛のデータでないと判別した場合は受信したデータを破棄し、一方、自装置宛のデータであると判別した場合はステップＳ３００に移行する。
【００４２】
次に、受信データの識別コード４３０をもとにリモコンから送信されたデータか携帯電話機から送信されたデータかを判別する（ステップＳ３００）。そして、リモコン装置から送信されたデータであると判別した場合はステップＳ５００に移行して光ディスク再生等の所定の動作を制御する。一方、携帯電話機から送信されたデータであると判別した場合はステップＳ４００に移行して光ディスクのディスク情報の編集処理を行う。
【００４３】
このとき、編集データ部４４０のタイプコードにより編集データの種類（ディスク名またはタイトル名）を判別して、判別結果をもとに光ディスクの所定の記憶領域に編集データ４４２を記録する。
【００４４】
なお、ステップＳ４００の編集データ処理を行う際は、光ディスク記録再生装置に接続されている表示装置の画面上に、光ディスクのディスク情報を編集する画面（図８参照）を表示させ、ユーザに編集処理の確認を行うようにするとよい。これにより、別の光ディスクのディスク情報を誤って編集してしまうのを防止する。
【００４５】
また、編集する光ディスクの正誤を光ディスク記録再生装置で自動的に判別するようにもできる。具体的には、番組を録画した際に自動的に記録される録画時間情報等を利用することにより実現できる。
【００４６】
図６は、ディスク情報を編集する際に携帯電話機の表示部３１０に表示される表示画面の他の例であり、図３の表示例に加え録画時間情報が付加されている。なお、図６の表示例では、表示する範囲を右側にスクロールすることにより録画時間情報の欄が表示されるようにしている。
【００４７】
例えば、ユーザはキー入力部３００を操作してメニュー画面からディスク編集を選択して図６に示す表示画面を表示部３１０に表示させる。そして、この画面上でディスク名の表示される欄３１１やタイトル名の表示される欄３１２を選択し、その欄に所望の文字列を入力して情報を編集する。
【００４８】
さらに、ユーザは光ディスクに記録されている番組の録画時間情報をタイトルごとに入力する。そして、光ディスク記録再生装置はこの録画時間情報をもとに編集するべき光ディスクが挿入されているかどうかを自動的に判断する。
【００４９】
図７は、光ディスク記録再生装置で自動的に光ディスクを判別して編集データ処理を行う際のフローチャートである。
まず、編集データのタイプコード４４１からディスク名のデータであるかタイトル名のデータであるかを判別する。そして、種別がディスク名である場合はステップＳ４０３に移行して、タイトル名である場合はステップＳ４０２に移行する。
【００５０】
ステップＳ４０３では、ユーザが携帯電話機２５０で入力したそれぞれのタイトルの録画時間情報と、光ディスクに記録されている録画時間情報を比較する。ここで、ユーザによって入力されたすべての録画時間情報と光ディスクに記録されている録画時間情報とを比較することにより、光ディスクに編集データを誤って記録するのを効果的に防止することができる。つまり、ユーザが入力したタイトル毎の録画時間情報と光ディスクに記録されている録画時間情報がすべて一致したときに、編集すべき光ディスクが光ディスク記録再生装置に挿入されていると判定する。
【００５１】
ステップＳ４０３で、録画時間情報が一致した場合はステップＳ４０５に移行してディスク名を変更し、録画時間情報が一致しない場合はディスク名の変更を行わない。このとき、挿入されている光ディスクのディスク情報を表示し、ユーザが編集しようとする光ディスクとは異なる旨を表示するようにする。
【００５２】
なお、ステップＳ４０３において、ユーザがすべてのタイトルに対して録画時間情報を入力していない場合は、入力された録画時間情報のみで判定するようにしてもよい。
【００５３】
ステップＳ４０２では、タイトル名の編集データに対応してユーザが携帯電話機で入力した録画時間情報と、光ディスクに記録されている録画時間情報を比較する。このように、ユーザによって入力された録画時間情報と光ディスクに記録されている録画時間情報とを比較することにより、タイトル名を誤って編集してしまうのを効果的に防止することができる。
【００５４】
ステップＳ４０２で、録画時間情報が一致したタイトルが存在する場合はステップＳ４０４に移行して録画時間情報が一致したタイトルの名称を変更し、録画時間情報が一致したタイトルが存在しない場合はタイトル名の変更を行わない。このとき、挿入されている光ディスクのディスク情報を表示し、ユーザが編集しようとする光ディスクとは異なる旨を表示するようにする。また、この表示画面により光ディスク記録再生装置に挿入されている光ディスクのディスク情報を確認することによりユーザは入力した録画時間情報に誤りがないかを確認することもできる。
【００５５】
上述した手順によりディスク情報の編集処理を行うことにより、誤ってディスク名やタイトル名を書き換えてしまう心配がなくなる。また、編集したい光ディスクのディスク情報を予め光ディスク記録再生装置から携帯電話機に送信して、タイトルに対応する録画時間情報が既に入力された状態になるようにすれば、ユーザによる録画時間情報の入力ミスにより編集処理が不能となる欠点を回避することができる。
【００５６】
以上、本発明者によってなされた発明を実施例に基づいて具体的に説明したが、本発明は上記実施例に限定されるものではない。本実施形態では、赤外線通信を利用して光ディスクの編集データを送信するようにしているが、例えば、ブルートゥース等の通信技術を利用してデータの送受信を行うこともできる。
【００５７】
また、ディスク情報を編集する機器は、光ディスク記録再生装置と無線通信が可能なものであれば携帯電話機に制限されず、例えばＰＤＡ等の携帯型情報端末を利用することも可能である。
【００５８】
【発明の効果】
本発明によれば、赤外線通信機能によりリモコンと赤外線通信を行う光ディスク記録装置において光ディスクのディスク名や録画した番組のタイトル名等の付加情報を光ディスクに記録する方法であって、前記赤外線通信機能により前記光ディスク記録装置と赤外線通信が可能な携帯型電子機器で入力された編集データを含む通信データを、前記赤外線通信を利用して前記携帯型電子機器が前記光ディスク記録装置へ送信し、前記編集データを付加情報として前記光ディスクに記録するようにしたので、光ディスク記録装置が作動しているときでも携帯型電子機器でディスク情報の編集を行うことができるので、ディスク情報の編集作業の自由度が広がる。
【図面の簡単な説明】
【図１】本実施形態に係る光ディスク記録再生装置（ＤＶＤビデオレコーダ）の概略構成図である。
【図２】本発明を適用した携帯電話機２５０の概略構成を示すブロック図である。
【図３】ディスク情報を編集する際に携帯電話機２５０の表示部３１０に表示される表示画面の一例である。
【図４】赤外線通信に利用されるデータ構造の一例である。
【図５】光ディスク記録再生装置における赤外線通信の処理手順を示したフローチャートである。
【図６】ディスク情報を編集する際に携帯電話機の表示部３１０に表示される表示画面の他の例である。
【図７】光ディスク記録再生装置で自動的に光ディスクを判別して編集データ処理を行う際のフローチャートである。
【図８】光ディスク記録装置の編集モード画面の表示例である。
【符号の説明】
１００  光ディスク
１１０  モータ
１２０  ピックアップ
１３０  機構制御部
１４０  システムインタフェース制御部
１５０  データ処理部
１６０  エンコード部
１７０  ＡＶ入力部
１８０  デコード部
１９０  ビデオ処理部
２００  ＮＴＳＣ／ＰＡＬエンコード部
２１０，２２０  Ｄ／Ａ変換器
２３０  表示部
２４０  赤外線受光部
２５０  携帯電話機
２６０  Ａ／Ｄ変換器
【図１】
0004509436.tif 000002
【図２】
0004509436.tif 000003
【図３】
0004509436.tif 000004
【図４】
0004509436.tif 000005
【図５】
0004509436.tif 000006
【図６】
0004509436.tif 000007
【図７】
0004509436.tif 000008
【図８】
0004509436.tif 000009